(57)【要約】【課題】両面印刷時に用紙が両面印刷に対応していない場合であっても両面印刷を実行することができる画像形成装置を提供する。【解決手段】プリンタ１は、用紙Ｐに画像を形成する画像形成部３と、用紙Ｐの特性を検出するメディアセンサ２４０とを備える。プリンタ１は、用紙Ｐの特性が自動両面印刷に対応していない場合、用紙Ｐの第１面に画像を形成してＦＤ排紙部５又はＦＵ排紙部７に排出する。プリンタ１は、ユーザに対して、排出した用紙Ｐのカセット１００又は手差しトレイ２００への載置を指示する。第１面に画像が形成された用紙Ｐがカセット１００又は手差しトレイ２００に載置されると、プリンタ１は、該用紙Ｐの第２面に画像を形成する。【選択図】図１
2019194003.tif 000002
【特許請求の範囲】
【請求項１】
入力される印刷ジョブに基づいて、第１面に印刷された記録材の表裏を搬送路上で反転させて該記録材の第２面に印刷を行う両面印刷あるいは、記録材の第１面に印刷を行い、該記録材を排出する片面印刷を実行する画像形成装置において、
前記記録材を給紙する給紙手段と、
前記記録材に画像データに応じた画像を形成する画像形成手段と、
前記画像が形成された前記記録材が排出される排紙手段と、
前記給紙手段により給紙された前記記録材の特性を検出する検出手段と、
前記給紙手段により給紙された前記記録材に対する前記検出手段の検出結果に基づいて、該記録材が前記両面印刷に対応しているか否かを判断する制御手段と、を備えており、
前記制御手段は、前記印刷ジョブで両面印刷が指定されており、前記検出手段の検出結果に基づいて前記記録材が前記両面印刷に対応していないと判断した場合に、前記画像形成手段に前記記録材の前記第１面に前記印刷ジョブの偶数ページの画像をページ番号の順で形成させ、第１面に画像が形成された記録材を排紙手段に排出して、ユーザに対して、排出した前記記録材を第２面の印刷のための給紙手段へ載置することを指示し、前記第２面の印刷のための給紙手段から給紙される前記第１面に画像が形成された前記記録材の前記第２面に、前記画像形成手段により奇数ページの画像を形成させることを特徴とする、
画像形成装置。
【請求項２】
前記排紙手段は、前記記録材の奇数ページの画像が形成された面が下向きで排出される第１の排紙トレイと、前記記録材の奇数ページの画像が形成された面が上向きで排出される第２の排紙トレイとを含み、
前記制御手段は、前記検出手段の検出結果に基づいて前記記録材が前記両面印刷に対応していないと判断した場合に、前記印刷ジョブで指定された排紙手段に応じて、奇数ページと偶数ページの印刷順序を決定することを特徴とする、
請求項１記載の画像形成装置。
【請求項３】
前記制御手段は、前記記録材が前記両面印刷に対応していないと判断した場合に、前記ユーザに対して、前記記録材が前記両面印刷に対応していないこと及び前記第１面に画像が形成されて前記排紙手段に排紙された前記記録材を前記第２面の印刷のための給紙手段へ載置することを促す通知を行うことを特徴とする、
請求項１又は２記載の画像形成装置。
【請求項４】
前記給紙手段へ載置することを促す前記通知は、前記印刷ジョブの印刷ページが所定のページ以下の場合に通知する第１の通知と、前記所定のページを超える場合に通知する第２の通知とを有することを特徴とする、
請求項３記載の画像形成装置。
【請求項５】
前記給紙手段は、偶数ページの画像が形成された面を下向きにして前記記録材が載置される第１の給紙部と、偶数ページの画像が形成された面を上向きにして前記記録材が載置される第２の給紙部とを含み、
前記制御手段は、偶数ページの画像が形成された前記記録材が載置された前記給紙手段に応じて、奇数ページの印刷順を決定することを特徴とする、
請求項１〜４のいずれか１項記載の画像形成装置。
【請求項６】
前記制御手段は、偶数ページの画像が形成された前記記録材が載置された前記給紙手段に応じて、奇数ページの画像が形成された記録材の排出先の前記排紙手段を切り替えることを特徴とする、
請求項１〜４のいずれか１項記載の画像形成装置。
【請求項７】
前記制御手段は、前記通知に対して前記ユーザが処理の実行を指示しない場合に画像を形成させずに前記印刷ジョブを終了することを特徴とする、
請求項３記載の画像形成装置。
【請求項８】
前記印刷ジョブは記録材の特性に応じた印刷を行うための印刷モードを示す印刷モードデータを含み、
前記制御手段は、前記記録材の特性が前記印刷モードデータの表す印刷モードに対応する場合に前記画像形成手段に画像を形成させ、前記記録材の特性が当該印刷モードに対応していない場合に画像を形成させずに処理を終了することを特徴とする、
請求項１〜７のいずれか１項記載の画像形成装置。
【請求項９】
前記制御手段は、前記印刷ジョブで前記両面印刷が指定され、且つ前記記録材が前記両面印刷に対応していない場合に、前記画像形成手段に前記記録材の第１面への画像の形成を開始させることを特徴とする、
請求項８記載の画像形成装置。
【請求項１０】
記録材を給紙する給紙手段と、
前記記録材に所定の画像データに応じた画像を形成する画像形成手段と、
前記画像が形成された前記記録材が排出される排紙手段と、
前記給紙手段により給紙された前記記録材の特性を検出する検出手段と、を備え、入力される印刷ジョブに基づいて、第１面に印刷された記録材の表裏を搬送路上で反転させて該記録材の第２面に印刷を行う両面印刷あるいは、記録材の第１面に印刷を行い、該記録材を排出する片面印刷を実行する画像形成装置により実行される方法であって、
前記給紙手段により給紙された前記記録材に対する前記検出手段の検出結果に基づいて、該記録材が前記両面印刷に対応しているか否かを判断し、
前記印刷ジョブで両面印刷が指定されており、前記記録材が前記両面印刷に対応していないと判断した場合に、前記画像形成手段により前記記録材の前記第１面に前記印刷ジョブの偶数ページの画像をページ番号の順で形成して、第１面に画像が形成された記録材を排紙手段に排出し、
ユーザに対して、排出した前記記録材を第２面の印刷のための給紙手段へ載置することを指示し、
前記第２面の印刷のための給紙手段から給紙される前記第１面に画像が形成された前記記録材の前記第２面に、前記画像形成手段により奇数ページの画像を形成することを特徴とする、
画像形成方法。
【発明の詳細な説明】
【技術分野】
【０００１】
本発明は、例えば複写機、プリンタ、ファクシミリ等の画像形成装置に関する。
【背景技術】
【０００２】
画像形成装置は、様々な種類の記録材に画像を形成可能である。以下、記録材を単に「用紙」として説明する。画像形成装置は、用紙の種類を判別するために、センサ（以下、「メディアセンサ」という。）を内蔵することがある。画像形成装置は、メディアセンサを用いて判別した用紙の種類に応じて、最適な画像形成処理を行う。画像形成処理には、画像を用紙に定着させるための定着制御や、用紙を画像形成装置の内部で搬送する搬送制御が含まれる。
【０００３】
メディアセンサの検出結果に応じた搬送制御には、１枚の用紙の表裏面に印刷を行う両面印刷が設定されたときに、用紙が自動両面印刷に対応しているか否かを判断し、対応する場合に用紙の搬送を継続する処理がある。例えば特許文献１は、メディアセンサの検出結果により用紙が自動両面印刷に対応していないと判断した場合に、オモテ面に形成する画像、ウラ面に形成する画像の順に、２枚の用紙へ片面印刷を行う印刷装置についての発明が開示される。
【先行技術文献】
【特許文献】
【０００４】
【特許文献１】特開２００９−１５４５４０号公報
【発明の概要】
【発明が解決しようとする課題】
【０００５】
特許文献１の印刷装置では、ユーザは、両面印刷を希望しているにもかかわらず、成果物として片面印刷された用紙を２枚得ることになる。そのためにユーザは、希望した成果物を得られない。また、印刷される用紙の枚数が増加するために、資源が消費されてしまう。
【０００６】
本発明は、上記の問題に鑑み、両面印刷時に用紙が両面印刷に対応していない場合であっても、用紙の消費を抑制して両面印刷を実行する画像形成装置を提供することを主たる課題とする。
【課題を解決するための手段】
【０００７】
本発明の画像形成装置は、入力される印刷ジョブに基づいて、第１面に印刷された記録材の表裏を搬送路上で反転させて該記録材の第２面に印刷を行う両面印刷あるいは、記録材の第１面に印刷を行い、該記録材を排出する片面印刷を実行する画像形成装置において、前記記録材を給紙する給紙手段と、前記記録材に画像データに応じた画像を形成する画像形成手段と、前記画像が形成された前記記録材が排出される排紙手段と、前記給紙手段により給紙された前記記録材の特性を検出する検出手段と、前記給紙手段により給紙された前記記録材に対する前記検出手段の検出結果に基づいて、該記録材が前記両面印刷に対応しているか否かを判断する制御手段と、を備えており、前記制御手段は、前記印刷ジョブで両面印刷が指定されており、前記検出手段の検出結果に基づいて前記記録材が前記両面印刷に対応していないと判断した場合に、前記画像形成手段に前記記録材の前記第１面に前記印刷ジョブの偶数ページの画像をページ番号の順で形成させ、第１面に画像が形成された記録材を排紙手段に排出して、ユーザに対して、排出した前記記録材を第２面の印刷のための給紙手段へ載置することを指示し、前記第２面の印刷のための給紙手段から給紙される前記第１面に画像が形成された前記記録材の前記第２面に、前記画像形成手段により奇数ページの画像を形成させることを特徴とする。
【発明の効果】
【０００８】
本発明によれば、両面印刷時に用紙が両面印刷に対応していない場合であっても、用紙の消費を抑制して両面印刷を実行することができる。
【図面の簡単な説明】
【０００９】
【図１】プリンタの構成図。
【図２】コントローラの構成図。
【図３】印刷ジョブの説明図。
【図４】画像形成処理を表すフローチャート。
【図５】通常の印刷処理を表すフローチャート。
【図６】（ａ）、（ｂ）は、メッセージの例示図。
【図７】（ａ）〜（ｃ）は、面付の説明図。
【図８】（ａ）〜（ｃ）は、面付の説明図。
【図９】画像形成処理を表すフローチャート。
【図１０】（ａ）〜（ｄ）は、面付の説明図。
【図１１】（ａ）〜（ｄ）は、面付の説明図。
【図１２】操作メッセージの表示処理を表すフローチャート。
【図１３】（ａ）、（ｂ）は、操作メッセージの例示図。
【発明を実施するための形態】
【００１０】
本発明の画像形成装置について、図面を参照しながら説明する。
【００１１】
（ハードウェア構成）
図１は、本実施形態の画像形成装置の一例であるレーザプリンタ（以下、単に「プリンタ」という。）の構成図である。プリンタ１は、画像形成部３、定着器４、記録材である用紙Ｐを給紙する給紙部、画像形成後の用紙Ｐが排出される排紙部（排紙トレイ）を備える。
【００１２】
画像形成部３は、例えば感光体で構成される像担持体３１と現像器３２とを備える。現像器３２は、例えば像担持体３１上に帯電処理及び露光処理により形成された静電潜像を、トナーにより現像する。これにより像担持体３１にトナー像が形成される。用紙Ｐが搬送される搬送経路を挟んで像担持体３１に対向する位置には、転写ローラ３３が設けられる。像担持体３１と転写ローラ３３との間は、像担持体３１から用紙Ｐにトナー像が転写される転写部Ｔを構成する。像担持体３１は、回転しており、形成されたトナー像を回転することで転写部Ｔへ搬送する。
定着器４は、転写部Ｔでトナー像が転写された用紙Ｐに、トナー像を定着させる。定着器４は、例えばトナーを加熱して溶融し、加圧することで用紙Ｐにトナー像を熱圧着させる。
【００１３】
本実施形態の給紙部は、複数の給紙口として、カセット１００及び手差しトレイ２００を備える。カセット１００は、プリンタ１の筐体の下部側に設けられる。手差しトレイ２００は、プリンタ１の筐体の側部に設けられる。排紙部は、複数の排紙口として、本実施形態ではＦＤ（Face Down）排紙部５及びＦＵ（Face Up）排紙部７を備える。ＦＤ排紙部５は片面印刷された用紙の画像面或いは両面印刷された用紙のオモテとなる面（第１面）が下向きの状態で排出される排紙部である。ＦＵ排紙部７は片面印刷された用紙の画像面或いは両面印刷された用紙のオモテとなる面（第１面）が上向きの状態で排出される排出部である。給紙部から排紙部へ用紙Ｐが搬送される搬送経路が設けられる。搬送経路には、用紙Ｐを搬送するための各種ローラが設けられる。画像形成部３及び定着器４は、搬送経路に沿って設けられる。
【００１４】
カセット１００は、収納する用紙Ｐのサイズを検出する機能を有する。カセット１００は、収納される用紙Ｐの有無を検出するカセット用紙有無センサ１０３を備える。カセット１００は、搬送経路側にカセット給紙ローラ１０１を備える。カセット１００に収納される用紙Ｐは、カセット給紙ローラ１０１と不図示の分離ローラとにより、一枚ずつ搬送経路に分離給送される。カセット１００から給送された用紙Ｐは、搬送経路に設けられるカセット搬送ローラ１０２及び搬送ローラ１０により、レジストローラユニット２０へ搬送される。
【００１５】
手差しトレイ２００は、載置された用紙Ｐのサイズを検出する機能を有しない。手差しトレイ２００は、載置される用紙Ｐの有無を検出する手差しトレイ用紙有無センサ２０３を備える。本実施形態では、手差しトレイ２００にセット可能な用紙枚数は１００枚である。手差しトレイ２００は、搬送経路側に手差しトレイ給紙ローラ２０１を備える。手差しトレイ２００に載置される用紙Ｐは、手差しトレイ給紙ローラ２０１と不図示の分離ローラとにより、一枚ずつ搬送経路に分離給送される。手差しトレイ２００から給送された用紙Ｐは、搬送経路に設けられる手差しトレイ搬送ローラ２０２により、レジストローラユニット２０へ搬送される。
【００１６】
カセット１００からの搬送経路及び手差しトレイ２００からの搬送経路の合流後で、且つ用紙Ｐの搬送方向でレジストローラユニット２０の上流側には、メディアセンサ２４０が設けられる。メディアセンサ２４０は、搬送経路を搬送される用紙Ｐの種類や厚さ（坪量）等の特性を検出する。メディアセンサ２４０の検出結果により、搬送中の用紙Ｐが両面印刷に対応しているか否かが判定される。
【００１７】
レジストローラユニット２０は、用紙Ｐが搬送されてきたときに回転を停止している。レジストローラユニット２０は、用紙Ｐの斜行を補正し、像担持体３１に形成されたトナー像が転写部Ｔに搬送されるタイミングに同期して、用紙Ｐを転写部Ｔへ搬送する。用紙Ｐは、転写部Ｔでトナー像が転写され、定着器４でトナー像が定着されることで、画像が形成される。画像が形成された用紙Ｐは、定着器４が有する定着搬送ローラ４１によって、定着器４から搬送方向の下流側へ搬送される。
【００１８】
定着器４の搬送方向の下流側には、分岐フラッパ５１が設けられる。分岐フラッパ５１は、用紙Ｐを、機外へ排出する排出経路と、両面印刷時に用紙Ｐの表裏面を反転させるための両面搬送部６と、のいずれかに振り分ける。
排出経路には、分岐フラッパ７１が設けられる。分岐フラッパ７１は、用紙ＰをＦＤ排紙部５及びＦＵ排紙部７のいずれかに振り分ける。用紙Ｐは、分岐フラッパ７１によりＦＤ排紙部５側に振り分けられると、排紙ローラ５２によりＦＤ排紙部５に印刷順に排紙積載される。用紙Ｐは、分岐フラッパ７１によりＦＵ排紙部７側に振り分けられると、ＦＵ排紙部７に印刷順に排紙積載される。
【００１９】
両面搬送部６は、両面搬送ローラ６１、反転ローラ６２、及び再給紙ローラ６４を備える。両面搬送部６は、両面印刷が設定されている場合に、第１面に画像が印刷された用紙の表裏を搬送路上で反転させて、第２面印刷のために給送する。具体的には、第１面に画像が形成された用紙Ｐが分岐フラッパ５１により両面搬送部６に搬送され、両面搬送ローラ６１に受け渡される。両面搬送ローラ６１は、用紙Ｐを反転ローラ６２へ搬送する。用紙Ｐの搬送方向の後端が両面搬送ローラ６１を通過して所定の用紙反転位置Ｒに到達した時点で、反転ローラ６２は、回転を停止する。反転ローラ６２は、その後、逆回転することで用紙Ｐを反転させて再給紙ローラ６４へ搬送する。再給紙ローラ６４は用紙Ｐを搬送する。用紙Ｐの先端が再給紙待機位置Ｓに達した時点で、再給紙ローラ６４は、回転を停止する。なお、両面搬送部６は搬送路の屈曲部の曲率の関係で、所定の坪量以上の用紙を搬送するのが困難な構成となっている。従って、所定の坪量以上の用紙は自動両面印刷に対応しない用紙となる。
第２面の印刷が可能になったタイミングで、再給紙ローラ６４は、回転を再開して用紙Ｐをレジストローラユニット２０へ搬送する。レジストローラユニット２０へ搬送された用紙Ｐは、第１面と同様に画像形成が行われる。第２面の画像形成が完了した用紙Ｐは、分岐フラッパ５１により排出経路に振り分けられて、ＦＤ排紙部５及びＦＵ排紙部７のいずれか一方の排出先へ排出される。
【００２０】
（コントローラ）
図２は、このようなプリンタ１の動作を制御するコントローラの構成図である。コントローラ１１は、ＣＰＵ（Central Processing Unit）１０００、ＲＯＭ（Read Only Memory）１００１、及びＲＡＭ（Random Access Memory）１００２を備える。ＣＰＵ１０００は、ＲＯＭ１００１に格納されるコンピュータプログラムを、ＲＡＭ１００２を作業領域に用いて実行することで、プリンタ１の動作を制御する。コントローラ１１は、プリント制御部１０１０、Ａ／Ｄコンバータ１００３、両面搬送制御部１００４、及びインタフェース（Ｉ／Ｆ）２６０を備える。
【００２１】
Ｉ／Ｆ２６０は、パーソナルコンピュータ等の外部機器１１００との間で通信制御を行う。Ｉ／Ｆ２６０は、例えばＵＳＢ（Universal Serial Bus）、ＬＡＮ（Local Area Network）、モデム等で構成される。Ｉ／Ｆ２６０は、外部機器１１００から、形成する画像を表す画像データを含む印刷ジョブを取得する。Ｉ／Ｆ２６０は、取得した印刷ジョブをＣＰＵ１０００へ送信する。ＣＰＵ１０００は、印刷ジョブに含まれる画像データをプリンタ１による印刷（画像形成）に用いるビットデータに展開し、プリント制御部１０１０により印刷ジョブに応じてプリンタ１の動作を制御する。本実施形態の画像データは、複数ページの画像を表す。
【００２２】
図３は、印刷ジョブの説明図である。印刷ジョブは、ＩＤナンバ４０１、用紙サイズデータ４０２、給紙口データ４０３、排紙口データ４０４、印刷モードデータ４０５、片面／両面印刷データ４０６、画像データ４１０を含む。印刷ジョブは、画像データ４１０に応じた画像を印刷する際の各種情報を含む、１つのパケットである。Ｉ／Ｆ２６０により印刷ジョブを取得したＣＰＵ１０００は、該印刷ジョブをＲＡＭ１００２に保管する。
【００２３】
ＩＤナンバ４０１は、画像データを識別するための情報である。用紙サイズデータ４０２は、印刷対象となる用紙のサイズをミリメートル単位で指定する情報を含む。給紙口データ４０３は、画像を形成する用紙を給紙する給紙口（カセット１００、手差しトレイ２００）を指定する情報を含む。排紙口データ４０４は、画像形成した用紙を排出する排出先（ＦＤ排紙部５、ＦＵ排紙部７）を指定する情報を含む。印刷モードデータ４０５は、用紙の坪量又は用紙の種類に応じた制御を指定するための情報である。印刷モードデータ４０５には、用紙の特性に対応して薄紙モード、普通紙モード、厚紙モード、オート（Auto）モード等がある。片面／両面印刷データ４０６は、用紙に対して片面印刷を行うか或いは両面印刷を行うかを指定するための情報である。
【００２４】
プリント制御部１０１０は、ＣＰＵ１０００の制御により、プリンタ１の動作を制御する。プリント制御部１０１０は、用紙Ｐの搬送制御、帯電処理、現像処理、転写処理等の一連の高圧制御、スキャナモータ制御、レーザビーム等の光学系制御、定着制御等を行う。プリント制御部１０１０は、これらの負荷の動作状態を検出する。ＣＰＵ１０００は、プリント制御部１０１０で検出された各負荷の動作状態から、所定の条件に従って、各負荷の故障検出を行うことができる。
【００２５】
両面搬送制御部１００４は、ＣＰＵ１０００の制御により、用紙Ｐへの両面印刷の際に両面搬送部６で行われる用紙Ｐの搬送制御を行う。
Ａ／Ｄコンバータ１００３は、メディアセンサ２４０から出力される検出結果のアナログ／デジタル変換を行い、変換したデジタル信号をＣＰＵ１０００へ送信する。上述の通り、メディアセンサ２４０は、用紙Ｐの種別や厚さ（坪量）を検出する。デジタル信号は、メディアセンサ２４０が検出した用紙Ｐの種別や厚さ（坪量）を表す。ＣＰＵ１０００は、取得した検出結果のデジタル信号を、プリント制御部１０１０による定着制御、搬送制御に用いる。
【００２６】
操作部２５０は、ユーザインタフェースとしての機能を有し、入力装置及び出力装置を備える。入力装置は、例えば入力キー、テンキー、タッチパネル等である。出力装置は、ディスプレイ、スピーカ等である。操作部２５０は、入力装置により、プリンタ１の各種設定を行うことができる。また、操作部２５０は、入力装置により、上述の印刷ジョブに含まれる画像を印刷する際の各種情報を入力することもできる。操作部２５０は、出力装置により印刷ジョブの入力画面、印刷の進捗状況を表す画面、各種設定画面等を表示する。
【００２７】
（画像形成処理の実施例１）
図４は、このような構成のプリンタ１による画像形成処理（印刷処理）を表すフローチャートである。この処理は、ＣＰＵ１０００が操作部２５０或いは外部機器１１００から印刷ジョブを取得することで開始される。ＣＰＵ１０００は、取得した印刷ジョブをＲＡＭ１００２に保管し、保管した印刷ジョブに応じた処理を行う。この処理では、ＣＰＵ１０００は、メディアセンサ２４０の検出結果から用紙Ｐの種類を判断する。用紙Ｐが両面印刷に対応していない場合、ＣＰＵ１０００は、操作部２５０の出力装置に操作メッセージを表示する。プリンタ１は、操作メッセージに対するユーザの応答に応じて、成果物を出力する。
【００２８】
そのためにＣＰＵ１０００は、まず、マニュアル両面モードが設定されているか否かを判断する（Ｓ１０１）。マニュアル両面モードは、一方の面（第１面）の印刷後にユーザが手動で排紙口から用紙を手差しトレイ２００に移して、その後、ユーザの指示に応じて他方の面（第２面）の印刷を行うことで、両面印刷を行う印刷モードである。印刷ジョブで両面印刷が指示されており、且つ用紙が両面印刷に対応していない場合に、ユーザの指示によりＣＰＵ１０００がマニュアル両面モードを設定する。
【００２９】
マニュアル両面モードが設定されていない場合（Ｓ１０１：N）、ＣＰＵ１０００は、今回行う画像形成処理（印刷処理）により片面印刷又は両面印刷の第１面の印刷を行うか否かを判断する（Ｓ１０２）。ＣＰＵ１０００は、ＲＡＭ１００２に保管された印刷ジョブの片面／両面印刷データ４０６により、この判断を行う。
【００３０】
両面印刷の第２面の印刷を行う場合（Ｓ１０２：N）、ＣＰＵ１０００は、通常の印刷処理を開始する（Ｓ２００）。図５は、Ｓ２００の処理で実行される印刷処理を表すフローチャートである。
【００３１】
ＣＰＵ１０００は、ＲＡＭ１００２に保管された印刷ジョブの片面／両面印刷データ４０６により、片面印刷と両面印刷とのいずれが指定されているかを判断する（Ｓ２０１）。片面印刷が指定されている場合（Ｓ２０１：N）、ＣＰＵ１０００は、プリント制御部１０１０により、印刷ジョブに含まれる画像データに基づいて片面印刷処理を行う（Ｓ２１０）。ＣＰＵ１０００は、プリント制御部１０１０により、印刷ジョブの排紙口データ４０４で指定される排出口に、印刷後の用紙Ｐを排出する（Ｓ２１１）。
【００３２】
両面印刷が指定されている場合（Ｓ２０１：Y）、ＣＰＵ１０００は、今回の印刷が用紙Ｐの第１面への印刷であるか否かを判断する（Ｓ２０２）。第１面である場合（Ｓ２０２：Y）、ＣＰＵ１０００は、プリント制御部１０１０により、印刷ジョブに含まれる画像データに基づいて第１面への印刷処理を行う（Ｓ２０３）。ＣＰＵ１０００は、プリント制御部１０１０により、第１面への印刷後の用紙Ｐを両面搬送部６へ搬送する（Ｓ２０４）。
第２面である場合（Ｓ２０２：N）、ＣＰＵ１０００は、プリント制御部１０１０により、印刷ジョブに含まれる画像データに基づいて第２面への印刷処理を行う（Ｓ２０５）。ＣＰＵ１０００は、プリント制御部１０１０により、印刷ジョブの排紙口データ４０４で指定される排出口に、印刷後の用紙Ｐを排出する（Ｓ２０６）。以上のように、Ｓ２００の印刷処理が行われる。
【００３３】
印刷処理が完了すると、ＣＰＵ１０００は、印刷ジョブにより、最終ページの印刷が完了したか否かを判断する（Ｓ１５０）。最終ページの印刷が完了していない場合（Ｓ１５０：N）、ＣＰＵ１０００は、Ｓ１０１以降の処理を繰り返し行う。最終ページの印刷が完了した場合（Ｓ１５０：Y）、ＣＰＵ１０００は、処理を終了する。
【００３４】
片面印刷又は両面印刷の第１面の印刷を行う場合（Ｓ１０２：Y）、ＣＰＵ１０００は、ＲＡＭ１００２に保管された印刷ジョブの給紙口データ４０３により、カセット１００と手差しトレイ２００とのいずれから給紙を行うかを確認する。ここでは、給紙口データ４０３にカセット１００が設定されている場合について説明する。ＣＰＵ１０００は、プリント制御部１０１０により、給紙口データ４０３で指定されるカセット１００から給紙を行う（Ｓ１０３）。これによりプリンタ１は、給紙を開始する。
【００３５】
ＣＰＵ１０００は、メディアセンサ２４０の検出結果を取得して、給紙した用紙Ｐの種類及び坪量を検出する（Ｓ１０４）。ＣＰＵ１０００は、検出した用紙Ｐの種類及び坪量をＲＡＭ１００２に保存する。ＣＰＵ１０００は、検出した用紙Ｐの坪量に応じて、搬送中の用紙Ｐが片面印刷又は両面印刷の第１面の印刷に対応したサポート対象であるか否かを判断する（Ｓ１０５）。片面印刷又は両面印刷の第１面の印刷でサポートしている坪量は、ＲＯＭ１００１に予め格納されている。ＣＰＵ１０００は、メディアセンサ２４０が検出した坪量と、ＲＯＭ１００１に格納される片面印刷又は両面印刷の第１面の印刷でサポートしている坪量とにより、搬送中の用紙Ｐが片面印刷又は両面印刷の第１面の印刷のサポート対象であるか否かを判断する。本実施形態では、片面印刷又は両面印刷の第１面の印刷でサポートしている坪量上限を１９９［ｇ／ｍ2］とする。
【００３６】
搬送中の用紙Ｐが片面印刷又は両面印刷の第１面の印刷のサポート対象外である場合（Ｓ１０５：Y）、ＣＰＵ１０００は、ミスプリントと判断する（Ｓ１４１）。ミスプリントと判断したＣＰＵ１０００は、印刷を中止して、操作部２５０により印刷を中止したことを表す警告を行う。その後、ＣＰＵ１０００は、処理を終了する。
【００３７】
搬送中の用紙Ｐが片面印刷又は両面印刷の第１面の印刷のサポート対象である場合（Ｓ１０５：N）、ＣＰＵ１０００は、印刷ジョブの印刷モードデータ４０５にオートモードが指定されているか否かを判断する（Ｓ１０６）。オートモードは、ユーザにより用紙の種類に対応する印刷モード（薄紙モード、普通紙モード、厚紙モード等）が設定されずに、ＣＰＵ１０００が、メディアセンサ２４０の検出結果に応じて自動的に定着制御、搬送制御を実行する印刷モードである。
【００３８】
オートモードが指定されていない場合（Ｓ１０６：N）、ＣＰＵ１０００は、ユーザの指定した印刷モードで動作する。ＣＰＵ１０００は、印刷ジョブで指定された印刷モードと、メディアセンサ２４０の検出結果とから、指定された印刷モードで使用可能な用紙が搬送中であるか否かを判断する（Ｓ１４０）。使用不可である場合（Ｓ１４０：N）、ＣＰＵ１０００は、ミスプリントが発生したと判断する（Ｓ１４１）。ミスプリントと判断したＣＰＵ１０００は、印刷を中止して、操作部２５０により印刷を中止したことを表す警告を行う。その後、ＣＰＵ１０００は、処理を終了する。使用可能である場合（Ｓ１４０：Y）、ＣＰＵ１０００は、片面印刷又は両面印刷の第１面の印刷を実行する（Ｓ２００）。
【００３９】
オートモードが指定されている場合（Ｓ１０６：Y）、ＣＰＵ１０００は、印刷ジョブの片面／両面印刷データ４０６により、両面印刷の第１面であるか否かを判断する（Ｓ１０７）。両面印刷の第１面ではない場合（Ｓ１０７：N）、ＣＰＵ１０００は、片面印刷を実行する（Ｓ２００）。
両面印刷の第１面である場合（Ｓ１０７：Y）、ＣＰＵ１０００は、メディアセンサ２４０が検出した用紙Ｐの坪量をＲＡＭ１００２から読み出す。ＣＰＵ１０００は、ＲＯＭ１００１に記録される両面印刷がサポートする坪量と、メディアセンサ２４０が検出した坪量とを比較して、搬送中の用紙Ｐが両面印刷でサポートされているか否かを判断する（Ｓ１０８）。本実施形態では、両面印刷でサポートする用紙の坪量は、上限１２０［ｇ／ｍ2］までである。搬送中の用紙Ｐが両面印刷でサポートされている場合（Ｓ１０８：N）、ＣＰＵ１０００は、両面印刷の第１面の印刷を実行する（Ｓ２００）。
【００４０】
本実施形態のポイントは、自動両面印刷でサポートする坪量の上限（１２０［ｇ／ｍ2］）を超える用紙であっても、マニュアル両面モードで動作することで、両面印刷の成果物が得られることである。例えば、自動両面印刷サポート外の１５０［ｇ／ｍ2］の坪量の用紙であっても、以下に説明するＳ１０９以降の手順により両面印刷の成果物が得られる。
【００４１】
搬送中の用紙Ｐが両面印刷でサポートされていない場合（Ｓ１０８：Y）、ＣＰＵ１０００は、操作部２５０に確認メッセージを表示する（Ｓ１０９）。図６は、操作部２５０に表示するメッセージの例示図である。Ｓ１０９の処理では、図６（ａ）のメッセージが表示される。図６（ａ）は、ユーザに対して用紙Ｐが両面印刷に対応していないことと、両面印刷を行うための処理を通知する確認メッセージである。本実施形態では、確認メッセージは、ユーザに対して「両面印刷サポート外の用紙であること」と「マニュアル両面モードで両面印刷の成果物が得られる」旨を通知する。ユーザは、印刷モードをマニュアル両面モードに変更するか否かを、確認メッセージの「はい」又は「いいえ」を選択することでＣＰＵ１０００に指示する。
【００４２】
「いいえ」が選択されてマニュアル両面モードへの変更が指示されない場合（Ｓ１１０：N）、ＣＰＵ１０００は、操作部２５０に表示した確認メッセージをクリアする（Ｓ１２０）。ＣＰＵ１０００は、確認メッセージのクリア後にミスプリントが発生したと判断する（Ｓ１４１）。ミスプリントと判断したＣＰＵ１０００は、印刷を中止して、操作部２５０により印刷を中止したことを表す警告を行う。その後、ＣＰＵ１０００は、処理を終了する。
【００４３】
「はい」が選択されてマニュアル両面モードへの変更が指示された場合（Ｓ１１０：Y）、ＣＰＵ１０００は、操作部２５０に表示した確認メッセージをクリアする（Ｓ１１１）。ＣＰＵ１０００は、確認メッセージのクリア後に印刷モードをマニュアル両面モードに変更する（Ｓ１１２）。ＣＰＵ１０００は、マニュアル両面モードに変更したことを表す情報をＲＡＭ１００２に保管する。
【００４４】
ＣＰＵ１０００は、印刷ジョブに含まれる画像データの各ページの印刷順序（面付）を、印刷後の用紙Ｐの排出先に応じて面付けを決定する（Ｓ１１３）。ＣＰＵ１０００は、決定した面付の情報をＲＡＭ１００２に保管する。本実施形態のプリンタ１は、マニュアル両面モード時には、画像データの偶数ページの印刷を行った後に、奇数ページの印刷を行う。通常の両面印刷（自動両面印刷）時には、偶数ページと奇数ページとが交互に印刷されるように、面付が行われる。
【００４５】
図７、図８は、面付の説明図である。図７（ａ）、図８（ａ）は、通常の両面印刷時の面付であり、印刷に必要な用紙の枚数を表す。Ｎは、画像データの最後のページ番号を表す。図７（ｂ）、７（ｃ）及び図８（ｂ）、８（ｃ）は、本実施形態のマニュアル両面印刷時の面付を表す。図７に示す面付と、図８に示す面付とでは、用紙Ｐの排出先が異なる。
【００４６】
図７は、両面印刷後の用紙ＰをＦＤ排紙部５に排出する場合の面付を示す。図７（ａ）は、両面印刷のサポート対象の用紙に対して自動両面印刷を行う場合の面付である。画像データは、ページ番号の小さい方から偶数ページ、奇数ページの順序に割り当てられている。図７（ｂ）、７（ｃ）は、本実施形態のマニュアル両面印刷時の面付を表す。図７（ｂ）では、第１面印刷における画像データは、ページ番号の大きい方からの偶数ページに並び替えられている。メディアセンサ２４０による用紙Ｐの種類の確定以前に１枚目用の画像の露光が開始される構成では、用紙Ｐが両面サポート外であると判別されたら、像担持体３１上に形成済みのトナー像を消去し、変更された面付けに従って印刷が行われることになる。図７（ｃ）では、第２面印刷における画像データは、ページ番号の小さい方からの奇数ページに並び替えられている。
【００４７】
図８は、両面印刷後の用紙ＰをＦＵ排紙部７に排出する場合の面付を示す。図８（ａ）は、両面印刷のサポート対象の用紙に対して自動両面印刷を行う場合の面付である。画像データは、ページ番号の大きい方から偶数ページ、奇数ページの順序に割り当てられている。図８（ｂ）、８（ｃ）は、本実施形態のマニュアル両面印刷時の面付を表す。図８（ｂ）では、第１面印刷における画像データは、ページ番号の大きい方からの偶数ページに並び替えられている。メディアセンサ２４０による用紙Ｐの種類の確定以前に１枚目用の画像の露光が開始される構成では、用紙Ｐが両面サポート外であると判別されたら、像担持体３１上に形成済みの１枚目用のトナー像はそのまま利用可能となる。図８（ｃ）では、第２面印刷における画像データは、ページ番号の大きい方からの奇数ページに並び替えられている。
【００４８】
面付けの決定後に、ＣＰＵ１０００は、再度、マニュアル両面モードが設定されているか否かを判断する（Ｓ１０１）。ここでは、Ｓ１１２の処理において印刷モードがマニュアル両面モードへ変更されている。マニュアル両面モードが設定されているために（Ｓ１０１：Y）、ＣＰＵ１０００は、印刷ジョブに応じて、画像データの偶数ページの印刷が完了しているか否かを判断する（Ｓ３０１）。ＣＰＵ１０００は、印刷ジョブの排紙口データ４０４で指定される排紙部（成果物（両面印刷後の用紙Ｐ）の排出先）に応じて、図７（ｂ）又は図８（ｂ）の順に偶数ページの印刷を行う。この偶数ページの最後の画像データによる印刷を行ったか否かにより、ＣＰＵ１０００は、この判断を行う。
【００４９】
偶数ページの印刷が完了していない場合（Ｓ３０１：N）、ＣＰＵ１０００は、プリント制御部１０１０により、印刷ジョブの給紙口データ４０３で指定されるカセット１００から給紙を行う（Ｓ３１０）。ＣＰＵ１０００は、プリント制御部１０１０により、画像データの偶数ページを用紙Ｐの第１面に印刷する（Ｓ３１１）。ＣＰＵ１０００は、プリント制御部１０１０により、印刷ジョブの排紙口データ４０４で指定される排紙部に、第１面が印刷された用紙Ｐを排出する（Ｓ３１２）。ＦＤ排紙部５が指定された場合は、図７（ｂ）の順に偶数ページの印刷が行われる。ＦＵ排紙部７が指定された場合は、図８（ｂ）の順に偶数ページの印刷が行われる。ＣＰＵ１０００は、偶数ページの印刷が完了するまで、Ｓ１０１、Ｓ３０１、Ｓ３１０〜Ｓ３１２の処理を繰り返し行う。
【００５０】
偶数ページの印刷が完了した場合（Ｓ３０１：Y）、ＣＰＵ１０００は、画像データの奇数ページの印刷を開始しているか否かを判断する（Ｓ３０２）。奇数ページの印刷を開始していない場合（Ｓ３０２：N）、ＣＰＵ１０００は、操作部２５０に、図６（ｂ）に例示するマニュアル両面印刷における第２面の印刷を実行するための操作メッセージを表示する（Ｓ３０３）。本実施形態の操作メッセージは、手差しトレイ２００へ第１面に偶数ページが印刷された用紙Ｐをセットするように、ユーザに指示する。ＣＰＵ１０００は、手差しトレイ２００に用紙Ｐがセットされるまで待機する（Ｓ３０４：N）。
【００５１】
ＣＰＵ１０００は、手差しトレイ用紙有無センサ２０３の検出結果により手差しトレイ２００に用紙Ｐがセットされたことを検出する。手差しトレイ２００に用紙Ｐがセットされた場合（Ｓ３０４：Y）、ＣＰＵ１０００は、操作メッセージの「実行」キー６０１が押下されるまで待機する（Ｓ３０５：N）。操作メッセージの「実行」キー６０１が押下された場合（Ｓ３０５：Y）、ＣＰＵ１０００は、操作部２５０に表示した操作メッセージをクリアする（Ｓ３０６）。ＣＰＵ１０００は、手差しトレイ２００にセットされた用紙Ｐの第２面に、プリント制御部１０１０により、画像データの奇数ページの印刷を開始する（Ｓ３０７）。ＣＰＵ１０００は、印刷ジョブの排紙口データ４０４で指定される排紙部（成果物（両面印刷後の用紙Ｐ）の排出先）に応じて、図７（ｃ）又は図８（ｃ）に示す面付の順に奇数ページの印刷を行う。ＣＰＵ１０００は、プリント制御部１０１０により、印刷ジョブの排紙口データ４０４で指定される排紙部に、第２面が印刷された用紙Ｐを排出する（Ｓ３１２）。
【００５２】
１枚目の両面印刷済みの用紙Ｐを排出した後に、ＣＰＵ１０００は、Ｓ１０１、Ｓ３０１、Ｓ３０２の処理を行う。ここでは、画像データの奇数ページの印刷が開始されているので（Ｓ３０２：Y）、ＣＰＵ１０００は、印刷ジョブに含まれる画像データの奇数ページの印刷が完了したか否かを判断する（Ｓ３２０）。奇数ページの印刷が完了していない場合（Ｓ３２０：N）、ＣＰＵ１０００は、プリント制御部１０１０により、手差しトレイ２００にセットされている偶数ページが印刷された用紙Ｐを給紙する。ＣＰＵ１０００は、プリント制御部１０１０により、画像データの奇数ページを、第１面に偶数ページが印刷された用紙Ｐに印刷する（Ｓ３２２）。ＣＰＵ１０００は、プリント制御部１０１０により、印刷ジョブの排紙口データ４０４で指定される排紙部に、第２面が印刷された用紙Ｐを排出する（Ｓ３１２）。ＣＰＵ１０００は、奇数ページの印刷が完了するまで、Ｓ１０１、Ｓ３０１、Ｓ３０２、Ｓ３２０、Ｓ３２２、Ｓ３１２の処理を繰り返し行う。奇数ページの印刷が完了した場合（Ｓ３２０：Y）、ＣＰＵ１０００は、処理を終了する。
【００５３】
本実施形態では、図７（ａ）及び図８（ａ）で示したように、偶数ページ、奇数ページの順序で両面印刷を行う１枚循環について説明したが、これに限定するものではない。偶数ページ（１枚目第１面）、偶数ページ（２枚目第１面）、奇数ページ（１枚目第２面）、偶数ページ（３枚目第１面）、奇数ページ（２枚目第２面）、…の順序で両面印刷する周知の２枚循環等の他の面付の両面印刷でも、本実施形態は適用可能である。
【００５４】
本実施形態では、プリンタ１は、マニュアル両面モードの第１面印刷においてカセット１００から給紙された用紙Ｐに偶数ページを印刷する。ユーザは、偶数ページが印刷された用紙Ｐを手差しトレイ２００にセットする。その後、プリンタ１は、第２面印刷として手差しトレイ２００にセットされた用紙Ｐに奇数ページを印刷する。
【００５５】
（画像形成処理の実施例２）
図９は、プリンタ１による画像形成処理（印刷処理）を表す別のフローチャートである。図９では、図４と同じ処理については、同じステップ番号が付されている。説明を簡潔にするために、図４の処理との差異について記載する。この処理は、ＣＰＵ１０００が操作部２５０或いは外部機器１１００から印刷ジョブを取得することで開始される。ＣＰＵ１０００は、取得した印刷ジョブをＲＡＭ１００２に保管し、保管した印刷ジョブに応じた処理を行う。この処理では、ＣＰＵ１０００は、メディアセンサ２４０の検出結果から用紙Ｐの種類を判断する。用紙Ｐが両面印刷に対応していない場合、ＣＰＵ１０００は、操作部２５０の出力装置に操作メッセージを表示する。プリンタ１は、操作メッセージに対するユーザの応答に応じて、成果物を出力する。
【００５６】
ＣＰＵ１０００は、マニュアル両面モードが設定されているか否かを判断する（Ｓ１０１）。本実施形態のマニュアル両面モードは、第１面の印刷後にユーザが手動で排紙口から用紙をカセット１００又は手差しトレイ２００に移して、その後、ユーザの指示に応じて第２面の印刷を行うことで、両面印刷を行う印刷モードである。なお、用紙は、カセット１００に載置される場合に、画像が形成された面が上向きに載置される。用紙は、手差しトレイ２００に載置される場合に、画像が形成された面が下向きに載置される。印刷ジョブで両面印刷が指示されており、且つ用紙が両面印刷に対応していない場合に、ユーザの指示によりＣＰＵ１０００がマニュアル両面モードを設定する。
【００５７】
Ｓ１０１〜Ｓ１１３、Ｓ２００、Ｓ１５０、Ｓ１４０、Ｓ１４１、Ｓ１２０、Ｓ３０１、Ｓ３０２、Ｓ３１０〜Ｓ３１２、及びＳ３２０〜Ｓ３２２の処理は、図４に示す処理と同じである。ただし、Ｓ１１３で行われる面付の変更処理が異なる。
【００５８】
図１０、図１１は、面付の説明図である。図１０（ａ）、図１１（ａ）は、通常の両面印刷時の面付であり、印刷に必要な用紙の枚数を表す。Ｎは、画像データの最後のページ番号を表す。図１０（ｂ）、１０（ｃ）、１０（ｄ）及び図１１（ｂ）、１１（ｃ）、１１（ｄ）は、本実施形態のマニュアル両面印刷時の面付を表す。図１０（ａ）、１０（ｂ）に示す面付と、図１１（ａ）、１１（ｂ）に示す面付とでは、用紙Ｐの排出先が異なる。図１０（ｃ）、１０（ｄ）に示す面付と、図１１（ｃ）、１１（ｄ）に示す面付は、第１面の印刷後に用紙Ｐを載置した給紙口に応じた面付を表す。
以下で詳細な説明をする。
【００５９】
図１０は、両面印刷後の用紙ＰをＦＤ排紙部５に排出する場合の面付を示す。図１０（ａ）は、両面印刷のサポート対象の用紙に対して自動両面印刷を行う場合の面付である。画像データは、ページ番号の小さい方から偶数ページ、奇数ページの順序に割り当てられている。
【００６０】
図１０（ｂ）、１０（ｃ）、１０（ｄ）は、本実施形態のマニュアル両面印刷時の面付を表す。図１０（ｂ）では、第１面印刷における画像データは、ページ番号の小さい方からの偶数ページに並び替えられている。メディアセンサ２４０による用紙Ｐの種類の確定以前に１枚目用の画像の露光が開始される構成では、用紙Ｐが両面サポート外であると判別されたら、像担持体３１上に形成済みの１枚目用のトナー像はそのまま利用可能となる。
【００６１】
図１０（ｃ）は、第１面の印刷後に用紙Ｐをカセット１００に載置する場合の面付である。第２面印刷における画像データは、ページ番号の小さい方からの奇数ページに並び替えられている。図１０（ｄ）は、第１面の印刷後に用紙Ｐを手差しトレイ２００に載置する場合の面付である。第２面印刷における画像データは、ページ番号の大きい方からの奇数ページに並び替えられている。
【００６２】
図１１は、両面印刷後の用紙ＰをＦＵ排紙部７に排出する場合の面付を示す。図１１（ａ）は、両面印刷のサポート対象の用紙に対して自動両面印刷を行う場合の面付である。画像データは、ページ番号の大きい方から偶数ページ、奇数ページの順序に割り当てられている。
【００６３】
図１１（ｂ）、１１（ｃ）、１１（ｄ）は、本実施形態のマニュアル両面印刷時の面付を表す。図１１（ｂ）では、第１面印刷における画像データは、ページ番号の大きい方からの偶数ページに並び替えられている。メディアセンサ２４０による用紙Ｐの種類の確定以前に１枚目用の画像の露光が開始される構成では、用紙Ｐが両面サポート外であると判別されたら、像担持体３１上に形成済みの１枚目用のトナー像はそのまま利用可能となる。
【００６４】
図１１（ｃ）は、第１面の印刷後に用紙Ｐを手差しトレイ２００に載置した場合の面付である。第２面印刷における画像データは、ページ番号の大きい方からの奇数ページに並び替えられている。図１１（ｄ）は、第１面の印刷後に用紙Ｐをカセット１００に載置した場合の面付である。第２面印刷における画像データは、ページ番号の小さい方からの奇数ページに並び替えられている。
以上のようにＳ１１３の面付処理が行われる。
【００６５】
偶数ページの印刷が完了して奇数ページの印刷が開始されていない場合（Ｓ３０２：N）、ＣＰＵ１０００は、操作部２５０に、マニュアル両面印刷における第２面の印刷を実行するための操作メッセージを表示する（Ｓ４００）。図１２は、Ｓ４００の処理で実行される操作メッセージの表示処理を表すフローチャートである。図１３は、操作メッセージの例示図である。
【００６６】
操作メッセージを表示する場合、ＣＰＵ１０００は、印刷ジョブにより、偶数ページが１００ページ以下であるか否かを判断する（Ｓ３３１）。１００ページ以下の場合（Ｓ３３１：Y）、ＣＰＵ１０００は、操作部２５０に、図１３（ａ）に例示するマニュアル両面印刷における第２面の印刷を実行するための操作メッセージを表示する（Ｓ３３２）。ここでは、手差しトレイ２００に用紙をセットする場合の操作メッセージ６１１及びカセット１００に用紙をセットする場合の操作メッセージ６１２が表示される。
【００６７】
印刷ページが１００ページを超える場合（Ｓ３３１：N）、ＣＰＵ１０００は、操作部２５０に、図１３（ｂ）に例示するマニュアル両面印刷における第２面の印刷を実行するための操作メッセージを表示する（Ｓ３３３）。ここでは、手差しトレイ２００にセット可能な用紙枚数を考慮して、カセット１００に用紙をセットする場合の操作メッセージ６１２のみが表示される。
【００６８】
以上のように、Ｓ４００の操作メッセージの表示処理が行われる。本実施形態の操作メッセージは、カセット１００又は手差しトレイ２００へ第１面に偶数ページが印刷された用紙Ｐをセットできることを、ユーザに指示する。ＣＰＵ１０００は、カセット１００又は手差しトレイ２００に用紙Ｐがセットされるまで待機する（Ｓ４０１：N）。
【００６９】
ＣＰＵ１０００は、カセット用紙有無センサ１０３の検出結果によりカセット１００に用紙Ｐがセットされたことを検出する。また、ＣＰＵ１０００は、手差しトレイ用紙有無センサ２０３の検出結果により手差しトレイ２００に用紙Ｐがセットされたことを検出する。カセット１００又は手差しトレイ２００に用紙Ｐがセットされた場合（Ｓ４０１：Y）、ＣＰＵ１０００は、操作メッセージの「実行」キー６１３が押下されるまで待機する（Ｓ４０２：N）。操作メッセージの「実行」キー６１３が押下された場合（Ｓ４０２：Y）、ＣＰＵ１０００は、用紙がセットされた給紙口をＲＡＭ１００２に保管する（Ｓ４０３）。ＣＰＵ１０００は、操作部２５０に表示した操作メッセージをクリアする（Ｓ４０４）。
【００７０】
ＣＰＵ１０００は、カセット１００又は手差しトレイ２００にセットされた用紙Ｐの第２面に、プリント制御部１０１０により、画像データの奇数ページの印刷を開始する（Ｓ４０５）。ＣＰＵ１０００は、用紙Ｐがセットされた給紙口に応じて、図１０（ｃ）、１０（ｄ）又は図１１（ｃ）、１１（ｄ）に示す面付の順に奇数ページの印刷を行う。
【００７１】
ＣＰＵ１０００は、ＲＡＭ１００２に保管した用紙Ｐがセットされた給紙口により、用紙Ｐがセットされた給紙口を判断する（Ｓ４０６）。用紙Ｐがカセット１００にセットされた場合（Ｓ４０６：Y）、ＣＰＵ１０００は、第２面が印刷された用紙ＰをＦＤ排紙部５に排出する（Ｓ４０７）。用紙Ｐが手差しトレイ２００にセットされた場合（Ｓ４０６：N）、ＣＰＵ１０００は、第２面が印刷された用紙ＰをＦＵ排紙部７に排出する（Ｓ４０８）。
【００７２】
１枚目の両面印刷済みの用紙Ｐを排出した後に、ＣＰＵ１０００は、Ｓ１０１、Ｓ３０１、Ｓ３０２の処理を行う。以降、図４のＳ３２０〜Ｓ３２２と同様の処理により、奇数ページの印刷が行われる。
【００７３】
本実施形態では、図１０（ａ）及び図１１（ａ）で示したように、偶数ページ、奇数ページの順序で両面印刷を行う１枚循環について説明したが、本発明はこれに限定するものではない。偶数ページ（１枚目第１面）、偶数ページ（２枚目第１面）、奇数ページ（１枚目第２面）、偶数ページ（３枚目第１面）、奇数ページ（２枚目第２面）、…の順序で両面印刷する周知の２枚循環等の他の面付の両面印刷でも、本実施形態は適用可能である。
【００７４】
本実施形態では、プリンタ１は、マニュアル両面モードの第１面印刷においてカセット１００から給紙された用紙Ｐに偶数ページを印刷する。ユーザは、偶数ページが印刷された用紙Ｐをカセット１００又は手差しトレイ２００にセットする。その後、プリンタ１は、第２面印刷としてカセット１００又は手差しトレイ２００にセットされた用紙Ｐに奇数ページを印刷する。
【００７５】
以上のような本実施形態のプリンタ１は、メディアセンサ２４０の検出結果に応じて、用紙が両面印刷でサポートされているかを判断する。両面印刷でサポートされていない用紙である場合、プリンタ１は、ユーザが一方の面に画像が形成された用紙をプリンタにセットするマニュアル両面モードで動作し、両面印刷を行う画像データのページの順序を変更する。これにより、用紙Ｐの消費を抑制しつつ、両面印刷を実行することができる。
【００７６】
画像データのページの順序を変更して両面印刷が行われるために、ユーザは、希望する両面印刷の成果物を得ることができる。また、メディアセンサ２４０による用紙Ｐの種類の確定以前に１枚目用の画像の露光が開始される構成では、用紙Ｐが両面サポート外であると判別されたら、像担持体３１上に形成済みの１枚目用のトナー像はそのまま利用可能となる。その結果、形成済みのトナー像の消去が必要ないため、早く印刷できると共にトナー消費の無駄を省いた両面印刷が可能になる。
【００７７】
マニュアル両面モードでは、両面搬送部６で用紙を搬送する必要がない。そのために、両面搬送部６の搬送経路等の機械的な変更が不要であり、コストアップなしで、自動両面印刷でサポートされていない種類の用紙への両面印刷が可能となる。また、両面搬送部６を備えない小型化したプリンタにおいても、マニュアル両面に切り替えることで、両面印刷が可能になる。以上のように本実施形態のプリンタ１は、両面印刷時に用紙が自動両面印刷に対応していない場合であっても、マニュアル両面に切り替えることで、用紙の消費を抑制して両面印刷を実行することが可能である。
【図１】
2019194003.tif 000003
【図２】
2019194003.tif 000004
【図３】
2019194003.tif 000005
【図４】
2019194003.tif 000006
【図５】
2019194003.tif 000007
【図６】
2019194003.tif 000008
【図７】
2019194003.tif 000009
【図８】
2019194003.tif 000010
【図９】
2019194003.tif 000011
【図１０】
2019194003.tif 000012
【図１１】
2019194003.tif 000013
【図１２】
2019194003.tif 000014
【図１３】
2019194003.tif 000015